(57)【要約】【課題】引戸の引き残しが発生せずに引戸装置の有効活用ができる。【解決手段】左側引戸３１および右側引戸３２は、それぞれから突出する軸棒４１、４２（４３、４４）を有する。鴨居（３）および敷居１２は各々軸棒４１（４３）を案内する第１の溝１４（５）および軸棒４２（４４）を案内する第２の溝１６（７）を有し、第１の溝１４（５）および第２の溝１６（７）はそれぞれ長溝２０と、この長溝の一端２１から斜め状に形成された短溝２４とで形成される。左側引戸３１に対応する第１の溝１４（５）および第２の溝１６（７）と右側引戸３２に対応する第１の溝１４（５）および第２の溝１６（７）とは点対称に設けられ、左側引戸３１の引戸面と左側引戸３１の引戸面とは同一平面上に位置するように形成され、同一引戸に対応する第１の溝の長溝の他端２２側と、第２の溝の長溝の一端２１側とはオーバーラップする。【選択図】　　　　図２
2004060200.tif 000002
【特許請求の範囲】
【請求項１】
上部横部材と、該上部横部材に対向する位置に設けられた下部横部材と、前記上部横部材と前記下部横部材との間に設けられた第１の引戸および第２の引戸とを備え、該第１の引戸と第２の引戸は、各々その上端面と下端面の少なくとも一方から突出する第１の突起および第２の突起を有し、該第１の突起は前記引戸の幅方向一端寄りに設けられ、該第２の突起は前記引戸の幅方向他端寄りに設けられ、前記第１の突起および前記第２の突起に対応する前記横部材は前記第１の突起を案内する第１の溝および前記第２の突起を案内する第２の溝を有し、前記第１の溝および前記第２の溝はそれぞれ前記対応する横部材の略延在する方向に形成された長溝と、該長溝の一端から形成された短溝とで形成され、前記第１の引戸に対応する前記第１の溝および第２の溝と前記第２の引戸に対応する前記第１の溝および第２の溝とは点対称に設けられ、前記上部横部材と前記下部横部材との間が前記第１の引戸と前記第２の引戸とによって閉じられたときに前記第１の引戸の引戸面と第２の引戸の引戸面とは同一平面上に位置するように形成され、同一引戸に対応する前記第１の溝の長溝の他端側と前記第２の溝の長溝の一端側とは前記横部材の延在する方向においてオーバーラップしてなる引戸装置。
【請求項２】
上部横部材と、該上部横部材に対向する位置に設けられた下部横部材と、前記上部横部材と前記下部横部材との間に設けられた第１の引戸および第２の引戸とを備え、該第１の引戸と第２の引戸は、各々その上端面と下端面のそれぞれから突出する第１の突起および第２の突起を有し、該第１の突起は前記引戸の幅方向一端寄りに設けられ、該第２の突起は前記引戸の幅方向他端寄りに設けられ、前記第１の突起および前記第２の突起に対応する前記横部材は前記第１の突起を案内する第１の溝および前記第２の突起を案内する第２の溝を有し、前記第１の溝および前記第２の溝はそれぞれ前記対応する横部材の略延在する方向に形成された長溝と、該長溝の一端から形成された短溝とで形成され、前記第１の引戸に対応する前記第１の溝および第２の溝と前記第２の引戸に対応する前記第１の溝および第２の溝とは点対称に設けられ、前記上部横部材と前記下部横部材との間が前記第１の引戸と前記第２の引戸とによって閉じられたときに前記第１の引戸の引戸面と第２の引戸の引戸面とは同一平面上に位置するように形成され、同一引戸に対応する前記第１の溝の長溝の他端側と前記第２の溝の長溝の一端側とは前記横部材の延在する方向においてオーバーラップしてなる引戸装置。
【発明の詳細な説明】
【０００１】
【発明の属する技術分野】
本発明は、引戸を閉じたときに引戸同士が同一平面に並ぶ引戸装置に関するものである。
【０００２】
【従来の技術】
従来の引戸装置としては、たとえば２枚の引戸が上部枠板に垂下されたものが知られている（実公昭５４−１５７６９号公報）。この引戸装置は、引戸の上縁に設けられた案内子が上部枠板に形成された案内溝に挿入され、引戸の下縁に取り付けられた取付板を介して設けられた案内子が下部枠板または案内板に形成された溝に挿入される。そして、上縁に設けられた案内子に転子が設けられ、この転子によって引戸は上部枠板に垂下され、上部枠板、下部枠板および案内板に形成された溝に沿って移動するようになっている。
【０００３】
【発明が解決しようとする課題】
上記従来の引戸装置は、下側の下部枠板または案内板が引戸の裏側に配置されているので、装置の下部の外観が単純化される。しかしながら、引戸が閉められた状態から引戸のどちらかを全開したときに、引戸の幅全体に渡って開かれないので十分な開口の幅が得られない、いわゆる引き残しが発生する。引き残しが発生すると、引戸がその全幅に渡って開かないので引戸装置を十分に有効に活用することができない。
【０００４】
さらに、従来の引戸装置は、下部枠板または案内板が引戸の裏側に配置されているので、引戸内の高さ寸法が小さくなり、収納空間が小さくなる。また、この引戸装置は下部枠板や案内板などを取り付ける部材が要るので部品数が多くなる。
【０００５】
本発明は、引戸の引き残しが発生しないことを課題とする。
【０００６】
【課題を解決するための手段】
上記課題を解決するため、本発明は、上部横部材と、この上部横部材に対向する位置に設けられた下部横部材と、上部横部材と下部横部材との間に設けられた第１の引戸および第２の引戸とを備える。第１の引戸と第２の引戸は、各々その上端面と下端面の少なくとも一方から突出する第１の突起および第２の突起を有し、この第１の突起は引戸の幅方向一端寄りに設けられ、第２の突起は引戸の幅方向他端寄りに設けられる。第１の突起および第２の突起に対応する横部材は第１の突起を案内する第１の溝および第２の突起を案内する第２の溝を有し、第１の溝および第２の溝はそれぞれ対応する横部材の略延在する方向に形成された長溝と、この長溝の一端から形成された短溝とで形成される。
【０００７】
さらに、第１の引戸に対応する第１の溝および第２の溝と第２の引戸に対応する第１の溝および第２の溝とは点対称に設けられ、上部横部材と下部横部材との間が第１の引戸と第２の引戸とによって閉じられたときに第１の引戸の引戸面と第２の引戸の引戸面とは同一平面上に位置するように形成され、同一引戸に対応する第１の溝の長溝の他端側と第２の溝の長溝の一端側とは横部材の延在する方向においてオーバーラップしてなることを特徴とする。
【０００８】
このようにすることにより、たとえば引戸が全閉の状態から先ず引戸を引くまたは引戸を押すと、引戸の上端面と下端面の少なくとも一方から突出する第１の突起および第２の突起は、これら突起に対応する横部材の第１の溝および第２の溝に沿って案内される。この際、第１の溝および第２の溝はそれぞれ長溝と、この長溝の一端から形成された短溝とで形成されるので、引戸を引くまたは押すことにより、第１の突起および第２の突起は、それぞれ第１の溝の短溝、第２の溝の短溝内を摺動した後、それぞれ第１の溝の長溝、第２の溝の長溝の一端に至る。
【０００９】
さらに、引戸を引くことにより、第１の突起および第２の突起は、それぞれの長溝の一端から摺動しながら他端側に移動する。このとき、同一引戸に対応する第１の溝の長溝の他端側と第２の溝の長溝の一端側とは横部材の延在する方向においてオーバーラップしているので、引いた引戸の一端位置は、移動しなかった隣の引戸の他端位置と同じかまたはそれより引っ込んだ位置となり、引戸の全幅に相当する十分な開口の幅が得られる。
【００１０】
また、引戸は、その上端面と下端面のそれぞれから突出する第１の突起および第２の突起を有すると良い。このようにすると、それぞれの引戸は四箇所の突起を有するので、たとえば引戸を引いた際に引戸の上部と下部がそれぞれ第１の溝と第２の溝に案内されて移動し、安定した作動が行われる。
【００１１】
次に本発明を構成する各要件についてさらに詳しく説明する。本発明の引戸装置は、第１の引戸と第２の引戸とによって閉じられたときに第１の引戸の引戸面と第２の引戸の引戸面とは同一平面上に位置するように形成されるもので、部屋と部屋の間の出入口、納戸、書庫、物置などの出入口などに利用されるものである。引戸が設けられる出入口を形成する上部横部材と下部横部材は、たとえば鴨居と敷居でも良いし他の横部材でも良い。要するに引戸が案内される第１の溝および第２の溝を設けることができれば良い。
【００１２】
第１の溝と第２の溝は、上部横部材と下部横部材のどちらかまたは両方に設けられ、それぞれ長溝と短溝とを有するが、長溝の設けられる方向は、設けられる横部材の略延在する方向で少なくとも引戸の厚みに相当する距離分だけずれるように形成された溝であり、水平上で斜めの直線状溝でも良いし、その一部に曲線を含んだ複合溝あるいは単調な曲線状溝としても良い。短溝は長溝の一端から水平上でさらに角度を大きくつけた斜めの直線状溝または曲線状溝でも良い。
【００１３】
第１の突起と第２の突起の材質は、たとえばポリアセタール（ＰＯＭ）などの硬質合成樹脂とし、これに対応する第１の溝と第２の溝は表面を滑り易く表面処理し、かつ耐摩耗性のある硬質合成樹脂、ステンレス、アルミニウム合金などを利用した溝部材を上部横部材や下部横部材に設けると良い。
【００１４】
【発明の実施の形態】
以下、本発明に係る引戸装置の実施形態を図面に基づいて詳細に説明する。なお、図１〜９において、同一または同等部分には同一符号を付けて示す。
【００１５】
図１は、本発明に係る引戸装置の一実施形態を示す正面図である。引戸装置１は、部屋と部屋との間の出入口に設けられ、左右２枚の引戸を有する。左右２枚の引戸は、全閉の際に２枚の引戸の引戸面が同一平面上に並ぶように形成される。すなわち、引戸装置１は、鴨居（上部横部材）３と、この鴨居３に対向する位置に設けられた敷居（下部横部材）１２と、鴨居３と敷居１２との間に設けられた左側引戸３１および右側引戸３２とを備える。
【００１６】
さらに、左側引戸３１および右側引戸３２は、それぞれその下端面３３から突出する軸棒（第１の突起）４１と軸棒（第２の突起）４２および上端面３４から突出する軸棒（第１の突起）４３と軸棒（第２の突起）４４を有する。各引戸とも軸棒４１、４３は引戸の幅方向４９一端５１寄りに設けられ、軸棒４２、４４は引戸の幅方向４９他端５３寄りに設けられる。
【００１７】
図２は、図１に示した引戸装置の敷居１２を縦部材２９とともに示し、（Ａ）は平面図、（Ｂ）は（Ａ）の正面図である。敷居１２は軸棒４１および軸棒４２に対応し、軸棒４１を案内する第１の溝１４および軸棒４２を案内する第２の溝１６を有する。そして、第１の溝１４および第２の溝１６は敷居１２の略延在する方向に形成された長溝２０と、この長溝２０の一端２１から斜め状に形成された短溝２４とで形成される。長溝２０の設けられる方向は、敷居１２の延在する方向で少なくとも引戸の厚みを越える距離を水平面上で斜めに（傾斜して）設けられる。短溝２４は長溝の一端２１からさらに角度がつけられた大きい角度で水平面上で斜めに（傾斜して）形成される。
【００１８】
左側引戸３１に対応する第１の溝１４の長溝の他端２２側位置と、左側引戸３１に対応する第２の溝１６の長溝一端２１側位置とは敷居１２の延在する方向においてオーバーラップする。さらに、左側引戸３１に対応する第１の溝１４および第２の溝１６と右側引戸３２に対応する第１の溝１４および第２の溝１６とは、左側引戸３１と右側引戸３２の当接する図示中央の点１９を中心に点対称に設けられる。
【００１９】
図３は、図１に示した引戸装置の鴨居３を縦部材２９とともに示し、（Ａ）は平面図、（Ｂ）は（Ａ）の正面図である。敷居１２と同様に、鴨居３は軸棒４３および軸棒４４に対応し、軸棒４３を案内する第１の溝５および軸棒４４を案内する第２の溝７を有する。鴨居の第１の溝５、第２の溝７は、それぞれ敷居１２の第１の溝１４、第２の溝１６に対向するように設けられる。そして、第１の溝５および第２の溝７は鴨居３の略延在する方向に形成された長溝２０と、この長溝２０の一端２１から斜め状に形成された短溝２４とで形成される。
【００２０】
敷居１２の場合と同様に、左側引戸３１に対応する第１の溝５の長溝の他端２２側位置と、左側引戸３１に対応する第２の溝７の長溝一端２１側位置とは鴨居３の延在する方向においてオーバーラップする。さらに、左側引戸３１に対応する第１の溝５および第２の溝７と右側引戸３２に対応する第１の溝５および第２の溝７とは、左側引戸３１と右側引戸３２の当接する図示中央の点１０を中心に点対称に設けられる。
【００２１】
図４は、図１に示した引戸装置１の左側引戸３１を示す正面図である。図５は、図１に示した引戸装置１の右側引戸３２を示す正面図である。左側引戸３１と右側引戸３２とは反対勝手で構造自体は略同じであるので、左側引戸３１の構造を説明し、右側引戸３２については符号のみを入れて説明を省略する。左側引戸３１は、引戸本体３５と、引戸本体３５を支える二つの下部支持装置３７、３８および二つの上部支持装置３９、４０と、取手５５とを有する。引戸本体３５は、正面形状が矩形、断面形状は台形で、一端５１の端面は引戸面に対して直角であり、他端５３の端面は引戸面に対して斜めに交差する。なお、図５において、符号３６は引戸本体である。
【００２２】
図６は、図４、５に示した左側引戸３１、右側引戸３２の下部支持装置３７を示す要部断面図である。下部支持装置３７は、軸棒（第１の突起）４１と、軸棒４１を摺動可能に支えるボス４５と、軸棒４１を上下移動させるピニオン歯車４７とを有する。ピニオン歯車４７は枢軸４７ｂとともに揺動する。ボス４５は引戸本体３５に固定され、枢軸４７ｂは引戸本体３５側に回転可能に固定される。軸棒４１は、断面円形で先端寄りにつば４１ａが形成されている。軸棒の先端部４１ｃは長溝２０または短溝２４に挿入される。後端部４１ｄはボス４５内を摺動できるとともに、その側面にラック４１ｂが形成されている。ピニオン歯車４７はラック４１ｂに噛み合うとともに枢軸４７ｂを中心に枢軸４７ｂとともに揺動する。
【００２３】
２点鎖線で示す位置５７は長溝２０または短溝２４の上面である。２点鎖線で示す位置５８は長溝２０または短溝２４の底面である。軸棒４１は、そのつば４１ａの下面が第１の溝５の上面５７に当接するように調整される。軸棒４１の材質はポリアセタール（ＰＯＭ）を使用する。下部支持装置３８についても下部支持装置３７と同じ構造であるので、その説明を省略する。
【００２４】
図７は、図４、５に示した左側引戸３１、右側引戸３２の上部支持装置３９を示す要部断面図である。上部支持装置３９は、軸棒（第１の突起）４３と、軸棒４３を摺動可能に支えるボス４６と、軸棒４３とボス４６の間に設けられたばね４８とを有する。ボス４６は引戸本体３５に固定される。軸棒４３は、その先端寄りに形成された第１つば４３ａおよび軸棒４３の中央寄りに形成された第２つば４３ｂを有する。
【００２５】
２点鎖線で示す位置５９は長溝２０または短溝２４の下面である。２点鎖線で示す位置６０は長溝２０または短溝２４の底面である。軸棒４３の第２つば４３ｂはボス４６内を摺動可能に形成され、軸棒４３はばね４８によって外方に付勢される。第１つば４３ａの外側面が長溝２０または短溝２４の下面５９に当接することにより引戸本体３５を倒れないように支える。軸棒４３の材質はポリアセタール（ＰＯＭ）を使用する。なお、上部支持装置４０についても上部支持装置３９と同じ構造であるので、その説明を省略する。
【００２６】
図８は、引戸装置１の開閉動作を示し、（Ａ）は全閉の状態の断面図、（Ｂ）は右側引戸を手前に引いた状態の断面図、（Ｃ）は全開の状態の断面図である。図８（Ａ）に示すように、敷居１２において、左側引戸の引戸面３５ａと右側引戸の引戸面３６ａが同一平面上に並んだ全閉の状態から、たとえば右側引戸３２を手前左方向に引くと、図８（Ｂ）に示すように、右側引戸３２の下端面から突出する軸棒４１および軸棒４２は、これに対応する敷居１２の第１の溝の短溝２４および第２の溝の短溝２４に沿って案内され、軸棒４１は第１の溝の長溝の一端２１、軸棒４２は第２の溝の長溝の一端２１に移動する。
【００２７】
さらに、右側引戸３２を長溝２０に沿って左方に引くことにより、図８（Ｃ）に示すように、軸棒４１および軸棒４２は、それぞれの長溝の一端２１から摺動しながら他端２２側に達する。このとき、右側引戸３２に対応する第１の溝１４の長溝の他端２２側位置と、右側引戸３２に対応する第２の溝１６の長溝一端２１側位置とは敷居１２の延在する方向においてオーバーラップしているので、右側引戸３２を引くことにより開口する幅は右側引戸３２の幅に相当する距離まで引かれ、十分な幅Ｗが得られる。なお、図示していない鴨居３側の第１の溝５および第２の溝７と軸棒４３および軸棒４４との動作についても同様の作用である。
【００２８】
また、右側引戸３２は、その上端面と下端面のそれぞれから突出する軸棒４１〜４４を有することにより、右側引戸３２は四箇所の突起を有することになるので、右側引戸３２を引いた際に下部の軸棒４１、４２は敷居の第１の溝１４と第２の溝１６に案内され、上部の軸棒４３、４４は鴨居の第１の溝５と第２の溝７に案内されて移動し、安定した移動が行われる。
【００２９】
図９は、本発明に係る引戸装置１の開閉動作を示し、（Ａ）は全閉の状態の断面図、（Ｂ）は左側引戸３１を奥側に押した状態の断面図、（Ｃ）は全開の状態の断面図である。図９（Ａ）に示すように、敷居１２において、左側引戸の引戸面３５ａと右側引戸の引戸面３６ａが同一平面上に並んだ全閉の状態から、たとえば左側引戸３１を奥側右方向に押すと、左側引戸３１の下端面から突出する軸棒４１および軸棒４２は、これら突起に対応する敷居１２の短溝２４に沿って案内され、軸棒４１は第１の溝の長溝の一端２１に、軸棒４２は第２の溝の長溝の一端２１にそれぞれ移動する。
【００３０】
さらに、左側引戸３１を今度は長溝２０に沿って右方に引くことにより、軸棒４１および軸棒４２は、それぞれの長溝の一端２１から摺動しながら他端２２側に達する。このとき、左側引戸３１に対応する第１の溝１４の長溝の他端２２側位置と、左側引戸３１に対応する第２の溝１６の長溝一端２１側位置とは敷居１２の延在する方向においてオーバーラップしているので、左側引戸３１を引くことにより開口する幅は左側引戸３１の幅に相当する距離まで引かれ、十分な幅Ｗが得られる。なお、図示していない鴨居３側の第１の溝５および第２の溝７と軸棒４３および軸棒４４との動作についても同様の作用である。
【００３１】
また、左側引戸３１は、その上端面と下端面のそれぞれから突出する軸棒４１〜４４を有することにより、左側引戸３１は四箇所の突起を有することになるので、左側引戸３１を引いた際に下部の軸棒４１、４２は敷居の第１の溝１４と第２の溝１６に案内され、上部の軸棒４３、４４は鴨居の第１の溝５と第２の溝７に案内されて移動し、安定した移動が行われる。
【００３２】
以上この発明を図示の実施形態について詳しく説明したが、それを以ってこの発明をそれらの実施形態のみに限定するものではなく、この発明の精神を逸脱せずして種々改変を加えて多種多様の変形をなし得ることは云うまでもない。
【００３３】
【発明の効果】
本発明によれば、引戸を開いたときに、引戸の引き残しが発生しないので、引戸の幅全体に渡る幅が得られ、引戸装置の有効活用ができる。
【図面の簡単な説明】
【図１】本発明に係る引戸装置の一実施形態を示す正面図である。
【図２】図１に示した引戸装置の敷居を縦部材とともに示し、（Ａ）は平面図、（Ｂ）は（Ａ）の正面図である。
【図３】図１に示した引戸装置の鴨居を縦部材とともに示し、（Ａ）は平面図、（Ｂ）は（Ａ）の正面図である。
【図４】図１に示した引戸装置の左側引戸を示す正面図である。
【図５】図１に示した引戸装置の右側引戸を示す正面図である。
【図６】図４、５に示した引戸の下部支持装置を示す要部断面図である。
【図７】図４，５に示した引戸の上部支持装置を示す要部断面図である。
【図８】本発明に係る引戸装置の開閉動作を示し、（Ａ）は全閉の状態の断面図、（Ｂ）は右側引戸を手前に引いた状態の断面図、（Ｃ）は全開の状態の断面図である。
【図９】本発明に係る引戸装置の開閉動作を示し、（Ａ）は全閉の状態の断面図、（Ｂ）は左側引戸を奥側に押した状態の断面図、（Ｃ）は全開の状態の断面図である。
【符号の説明】
１　引戸装置
３　鴨居（上部横部材）
５　第１の溝
７　第２の溝
９　延在する方向
１２　敷居（下部横部材）
１４　第１の溝
１６　第２の溝
１８　延在する方向
２０　長溝
２１　一端
２２　他端
２４　短溝
２５　先端
３１　左側引戸（第１の引戸）
３２　右側引戸（第２の引戸）
３３　下端面
３４　上端面
３５ａ　引戸面
３６ａ　引戸面
４１　軸棒（第１の突起）
４２　軸棒（第２の突起）
４３　軸棒（第１の突起）
４４　軸棒（第２の突起）
４９　幅方向
５１　一端
５３　他端
【図１】
2004060200.tif 000003
【図２】
2004060200.tif 000004
【図３】
2004060200.tif 000005
【図４】
2004060200.tif 000006
【図５】
2004060200.tif 000007
【図６】
2004060200.tif 000008
【図７】
2004060200.tif 000009
【図８】
2004060200.tif 000010
【図９】
2004060200.tif 000011